(57)【要約】【課題】ヘッド状飾りをワンタッチ式で押し込むだけで、錠剤が容器から１個ずつ確実に出ること。【解決手段】下端部に錠剤用の出口を有する容器本体、容器本体にスライド自在に突出して嵌合すると共に、挿入下端部の送出し口から突出上端部の投入口まで前記錠剤を重ねた状態で案内する収納スライダー、収納スライダーの底壁部と前記容器本体の底壁部との間に介設されかつ出口と送出し口とが連通しないように収納スライダーを常時上方に付勢する押上げバネ、収納スライダーの突出上端部に着脱自在に嵌合するヘッド状飾り、収納スライダーの下端部に容器本体に形成した突出固定ピンと係合するように軸支されかつ下方の錠剤を受け止める凹所を有する回転体とから成る。【選択図】  図１２
2004306959.tif 000002
【特許請求の範囲】
【請求項１】
下端部に錠剤用の出口を有する縦長状容器本体と、この容器本体にスライド自在に突出して嵌合すると共に、挿入下端部の送出し口から突出上端部の投入口まで前記錠剤を重ねた状態で案内する収納案内路を有する収納スライダーと、この収納スライダーの底壁部と前記容器本体の底壁部との間に介設され、かつ、前記出口と送出し口とが連通しないように収納スライダーを常時上方に付勢する押上げバネと、前記収納スライダーの首状突出上端部に着脱自在に嵌合するヘッド状飾りとから成り、前記飾りの押し込みを介して収納スライダーが下降すると、容器本体内の一番下方の錠剤が容器本体の出口から落下することを特徴とする錠剤用排出容器。
【請求項２】
請求項１に於いて、常態時、収納スライダー内の一番下の錠剤は、容器本体の出口付近の内壁に受け止められ、一方、飾りを押上げバネのバネ力に抗して押し込み、収納スライダーの送出し口と容器本体の出口とが一致した時には、下方から２番目の錠剤は、容器本体の側壁から収納案内路２７に突出した所定位置のストッパー部材１２に規制されることを特徴とする錠剤用排出容器。
【請求項３】
請求項１に於いて、収納スライダーの収納案内路の下部内壁には、送出し口２３に対して錠剤２６を１個ずつ通すように規制する傾斜状一通化規制壁２８が形成されていることを特徴とする錠剤用排出容器。
【請求項４】
請求項１又は請求項３に於いて、収納案内路の下部内壁には、一通化規制壁２８に連設する傾斜状の送出し壁３０が形成されていることを特徴とする錠剤用排出容器。
【請求項５】
請求項１に於いて、ヘッド状飾りは、アニメ・漫画・映画等に登場するキャラクターを表現した複数個の異なる頭部意匠であり、かつ、収納スライダーの首状突出上端部に交換可能に嵌合することを特徴とする錠剤用排出容器。
【請求項６】
下端部に錠剤の出口を有する縦長状容器本体と、この容器本体にスライド自在に突出して嵌合すると共に、挿入下端部の送出し口から突出上端部の投入口まで前記錠剤を重ねた状態で案内する収納案内路を有する収納スライダーと、この収納スライダーの底壁部と前記容器本体の底壁部との間に介設され、かつ、前記出口と送出し口とが連通しないように収納スライダーを常時上方に付勢する押上げバネと、前記収納スライダーの首状突出上端部に着脱自在に嵌合するヘッド状飾りとから成り、前記飾りの押し込みを介して収納スライダーが下降すると、容器本体内の一番下方の錠剤が容器本体の出口から落下し、また、前記容器本体の一側壁には、宣伝広告板１０が固定的に取付けらけれていることを特徴とする錠剤用排出容器。
【請求項７】
請求項６に於いて、飾りは４５、商標機能を有する帽子４８が設けられていることを特徴とする錠剤用排出容器。
【請求項８】
請求項６に於いて、容器本体の一側壁６には、複数個の係合小孔１１が形成され、これらの係合小孔を介して宣伝広告板１０が添設されていることを特徴とする錠剤用排出容器。
【請求項９】
請求項６に於いて、容器本体の一側壁６の嵌合小孔１３に、宣伝広告板１０のストッパー部材１２を収納案内路２７の所定位置に突出するように嵌入していることを特徴とする錠剤用排出容器。
【請求項１０】
下端部に錠剤用の出口を有する縦長状容器本体と、この容器本体にスライド自在に突出して嵌合すると共に、挿入下端部の送出し口から突出上端部の投入口まで前記錠剤を重ねた状態で案内する収納案内路を有する収納スライダーと、この収納スライダーの底壁部と前記容器本体の底壁部との間に介設され、かつ、前記出口と送出し口とが連通しないように収納スライダーを常時上方に付勢する押上げバネと、前記収納スライダーの首状突出上端部に着脱自在に嵌合するヘッド状飾りと、前記収納スライダーの下端部に容器本体に形成した突出固定ピンと係合するように軸支され、かつ、一番下方の錠剤を受け止める凹所を有する回転体とから成り、前記飾りを押込むと、前記収納スライダーの下降に伴い前記突出固定ピンの係合状態を介して前記凹所が送出し口方向へ所定量回転し、前記一番下方の錠剤が容器本体の出口から落下することを特徴とする錠剤用排出容器。
【請求項１１】
請求項１０に於いて、収納スライダーには、回転体の錠剤受け止め用凹所に対して錠剤２６を１個ずつ通すように規制する傾斜状一通化規制壁２８Ａが形成されていることを特徴とする錠剤用排出容器。
【請求項１２】
請求項１０又は請求項１１に於いて、容器本体の内壁には、収納スライダーの傾斜状一通化規制壁２８Ａと相俟って回転体の錠剤受け止め用凹所に対して錠剤２６を１個ずつ案内する垂直案内壁５６が突出形成されていることを特徴とする錠剤用排出容器。
【請求項１３】
請求項１０に於いて、収納スライダーは内壁面に肉厚部分６１を有し、この肉厚部分６１の上壁面は傾斜状に形成され、一方、肉厚部分６１の下壁面は、収納スライダーを押し下げた時、容器本体１Ａの突出固定ピン５５に当接することを特徴とする錠剤用排出容器。
【請求項１４】
請求項１０に於いて、収納スライダーの首状突出上端部には、上端縁から押込み方向に、少なくとも１本以上の縦割切欠部６５を有し、飾り４５は、首状突出上端部の材質自体の弾性力に抗して嵌着することを特徴とする錠剤用排出容器。
【発明の詳細な説明】
【０００１】
【発明の属する技術分野】
本発明は、菓子、医薬品等の錠剤を一個ずつ送出すことができる錠剤用排出容器に関する。
【０００２】
【従来の技術】
この種の錠剤用排出容器は、容器の上方から排出するタイプ（例えば実開平７−１３７７６号公報に記載の実施例）と、容器の下方から排出するタイプ（例えば特開平７−２８５５８３号公報に記載の実施例）とに区別することができる。後者の実施例の容器は、錠剤を収納する収納室と、錠剤を任意の数だけ整列計量させる計量室とから成り、スライド棒状体を上方から内装バネのバネ力に抗してプッシュすると、又は容器の角度を変えて内装振り子が送出し口から離れると、錠剤が外部に放出される。
【０００３】
しかしながら、上記錠剤用排出容器は、次のような問題点があった。
（１）スライド棒状体の押圧具合又は容器の傾倒角度如何によって、錠剤が一度に複数個出てしまう。つまり、錠剤を容器から１個ずつ確実に出すことができない。
（２）スライド棒状体を単にワンタッチ式で押し込むだけで、錠剤が容器から１個ずつ確実に出ない。また、容器の周壁の下部から落下させることができない。
（３）容器をアニメ・漫画・映画等に登場するキャラクターを表現した立体意匠にすることができない。
（４）容器の主要部（ヘッド）を交換することができない。
（５）容器に広告宣伝機能を加味することができない。
【０００４】
【発明が解決しようとする課題】
本発明の第１の目的は、ヘッドに位置する飾りをワンタッチ式で押し込むだけで、錠剤が容器の下部から１個ずつ確実に出ることである。本発明の第２の目的は、容器全体をアニメ・漫画・映画等に登場するキャラクターを表現した立体意匠にすることである。本発明の第３の目的は、部品点数を少なし、かつ、各部材を簡単に組み合わせることである。本発明の第４の目的は、容器に簡単に広告宣伝機能を加味することができることである。その他収納スライダーがスムースに昇降動することである。
【０００５】
【課題を解決するための手段】
本発明の錠剤用排出容器は、スライド自在に突出して嵌合すると共に、挿入下端部の送出し口から突出上端部の投入口まで前記錠剤を重ねた状態で案内する収納案内路を有する収納スライダーと、この収納スライダーの底壁部と前記容器本体の底壁部との間に介設され、かつ、前記出口と送出し口とが連通しないように収納スライダーを常時上方に付勢する押上げバネと、前記収納スライダーの首状突出上端部に着脱自在に嵌合するヘッド状飾りとから成り、前記飾りの押し込みを介して収納スライダーが下降すると、容器本体内の一番下方の錠剤が容器本体の出口から落下することを特徴とする。
【０００６】
また本発明の錠剤用排出容器は、下端部に錠剤の出口を有する縦長状容器本体と、この容器本体にスライド自在に突出して嵌合すると共に、挿入下端部の送出し口から突出上端部の投入口まで前記錠剤を重ねた状態で案内する収納案内路を有する収納スライダーと、この収納スライダーの底壁部と前記容器本体の底壁部との間に介設され、かつ、前記出口と送出し口とが連通しないように収納スライダーを常時上方に付勢する押上げバネと、前記収納スライダーの首状突出上端部に着脱自在に嵌合するヘッド状飾りとから成り、前記飾りの押し込みを介して収納スライダーが下降すると、容器本体内の一番下方の錠剤が容器本体の出口から落下し、また、前記容器本体の一側壁には、宣伝広告板１０が固定的に取付けらけれていることを特徴とする。
【０００７】
さらに、本発明の錠剤用排出容器は、下端部に錠剤用の出口を有する縦長状容器本体と、この容器本体にスライド自在に突出して嵌合すると共に、挿入下端部の送出し口から突出上端部の投入口まで前記錠剤を重ねた状態で案内する収納案内路を有する収納スライダーと、この収納スライダーの底壁部と前記容器本体の底壁部との間に介設され、かつ、前記出口と送出し口とが連通しないように収納スライダーを常時上方に付勢する押上げバネと、前記収納スライダーの首状突出上端部に着脱自在に嵌合するヘッド状飾りと、前記収納スライダーの下端部に容器本体に形成した突出固定ピンと係合するように軸支され、かつ、一番下方の錠剤を受け止める凹所を有する回転体とから成り、前記飾りを押込むと、前記収納スライダーの下降に伴い前記突出固定ピンの係合状態を介して前記凹所が送出し口方向へ所定量回転し、前記一番下方の錠剤が容器本体の出口から落下することを特徴とする。
【０００８】
【発明の実施の形態】
図１乃至図８は、本発明の実施の形態（第１実施例）である。まず、１は硬質の合成樹脂材で射出形成された縦長状容器本体である。この容器本体１の底壁部２にはフランジ状のベース板３が突出形成されている。ベース板３は、例えば足のイメージが彷彿されるように足袋形状に形成されている。
４は容器本体１の前壁で、この前壁４の下端部には菓子、医薬品等の錠剤（本実施例では粒状物）の出口５が形成されている。ここで、説明の便宜上、正面図の図２を基準にして容器本体１の各壁を説明すると、６は右側壁、７は左側壁、８は後壁である。
【０００９】
しかして、前記右側壁（一側壁）６には、図１で示すように、複数個の貫通孔１１，１３が形成されている。これらの貫通孔は、二種類に区別されている。一つは、一側壁６に添設される縦長状の宣伝広告板１０を取付けるための係合小孔１１で、本実施例では、上方と、中央部と、下方に計３個形成されている。もう一つは、宣伝広告板１０の下端部寄りの部位に突設されたストッパーピン１２用の嵌合小孔１３で、この嵌合小孔１３は一側壁６の下端部寄りの部位に形成されている。宣伝広告板１０の外壁面には、文字、記号、図形などの商標ＴＭが付されている。
【００１０】
前記ストッパーピン１２は、本実施例では宣伝広告板１０の内壁面に水平状態に突設され、宣伝広告板１０の各小突起１０ａを前記係合小孔１１に強制的に係合させ、該宣伝広告板１０を容器本体１の右側壁６に密着状態に添設した場合には、後述する収納スライダーの下部内の所定位置に突出し、収納スライダーが上方に上昇している常態時には、下方から二番面の粒状の錠剤２６ｂに対するストッパー機能を発揮する。
【００１１】
また、容器本体１の嵌合口１５を有する上端部の内壁面には、収納スライダー用係止突起１６が複数個突設されている。なお、前記係止突起１６は収納スライダーを容器本体１に簡単に所定位置（係合位置）まで入れることができるように、弾性変形機能及び弾性変形復帰機能を有する。
【００１２】
次に、２１は容器本体１と同様に硬質の合成樹脂材で射出形成された一側開口のケース状収納スライダーである。この収納スライダー２１は、容器本体１にスライド自在に嵌合すると共に、その挿入下端部２２の送出し口２３から突出上端部２４の投入口２５まで錠剤２６を重ねた状態で案内する縦方向の収納案内路２７を有する。
【００１３】
この収納スライダー２１の収納案内路２７を形成する内壁には、送出し口２３に対して錠剤２６を１個ずつ通すための一通化規制壁２８及び該一通化規制壁２８に連設する傾斜状の送出し壁３０とがそれぞれ形成されている。
前記収納案内路２７は、図４で示すように、送出し口２３付近の内壁面間の幅が狭く、本実施例では１個の粒状物２６を通すだけの余裕しかない。すなわち、収納案内路２７は、投入口２５から傾斜状の一通化規制壁２８に至るまで粒状物２６を並列的に２個ずつ通す二車線的余裕があるが、収納案内路２７の下部に相当する送出し口２３付近に形成された一通化規制壁２８からは１個ずつしか通すことができないようにその内壁が傾斜状に形成されている。
【００１４】
また、収納案内路２７の送出し口２３に臨む最下部の内壁には、前記傾斜状の一通化規制壁２８に連設する垂直壁２９と、この垂直壁２９の下方に連設する傾斜状の送出し壁３０とがそれぞれ形成されている。
【００１５】
縦長状収納スライダー２１は、本実施例では角筒状のケースに形成され、図４で示すように送出し口２３付近の前壁部３１は、やや弧状に形成されている。また、容器本体１の突出上端部寄りの部位には、前述した容器本体１の係止突起１６と係合する爪状当り突起３２が形成されている。
【００１６】
さらに、容器本体１に収容されている側壁部３３の適宜部位には、縦方向に縦長状切欠部３４が形成されている（図４参照）。
【００１７】
次に、４０は収納スライダー２１の底壁部４１と容器本体１の底壁部４２との間に介設され、かつ、容器本体１の出口５と収納スライダーの送出し口２３とが連通しないように収納スライダー２１を常時上方に付勢する押上げバネである。本実施例では押上げバネ４０はコイルバネを用いている（板バネでも良い）。
【００１８】
４３は収納スライダー２１の底壁部４１に垂直状態に連設するガイド突壁で、このガイド突壁４３は容器本体１の前壁４の下部内壁面に摺接する。なお、本実施例では、収納スライダー２１の投入口２５は、粒状の錠剤２６を容易に入れることができるように外拡状態に開口している（図１参照）。
【００１９】
次に、符号４５は収納スライダー２１の首状突出上端部２４に着脱自在に嵌合するヘッド状飾りである。ヘッド状飾り２４は、それ自体に商標的機能を施しても良いが、本実施例では、人物、動物、漫画や映画に登場するキャラクターなどを彷彿させる。４６はヘッド状飾り４５に形成された嵌合穴で、この嵌合穴４６には収納スライダー２１の首状突出上端部２４が嵌入する。
【００２０】
しかして、ヘッド状飾り４５は、本実施例では、図９で示すように、アニメ・漫画・映画等に登場するキャラクターを表現した複数個の異なる著作物或いは頭部意匠４５Ａ，４５Ｂ，４５Ｃであり、かつ、収納スライダーの首状突出上端部２４に交換可能に嵌合する。
【００２１】
上記構成に於いて、常態時（飾りを押し込まない時）、収納スライダーは押し上げバネ４０のバネ力により上方に付勢されているから、収納スライダー２１の爪状当り突起３２は容器本体の係止突起１６に当っている。したがって、収納スライダー２１は所定以上突出しないように容器本体１の係止突起１６に係止されている。この常態時、該収納スライダー内の一番下の粒状物２６ａは、容器本体１の出口５付近の内壁１ａに受け止められている。
【００２２】
一方、飾り４５を押上げバネ４０のバネ力に抗して指で押し込み、収納スライダー２１の送出し口２３と容器本体１の出口５とが一致した時、下方から２番目の粒状物２６ｂは、容器本体１の側壁から収納案内路２７に突出した所定位置のストッパーピン１２に規制される（図８参照）。
【００２３】
したがって、図７に示すように収納スライダー２１内の粒状物２６は飾り４５を押し込む毎に「１個ずつ確実に」送出し口２３を介して容器本体１の出口５から放出される。
【００２４】
【実施例】
まず本実施例では、容器本体１は有底の角筒状であるが、これに限定するものではない。例えば有底の円筒状のものであっても良い。また容器本体の底壁部には足袋状のベース板を必ずしも設ける必要はない。また、容器本体１の一側壁６に形成した嵌合小孔１３に宣伝広告板１０に突設したストッパーピン１２を嵌入し、該ストッパーピン１２を収納案内路２７の所定位置に突出させ、飾り４５を押上げバネ４０のバネ力に抗して押し込み、収納スライダー２１の送出し口２３と容器本体１の出口５とが一致した時、下方から２番目の粒状物２６ｂは、該ストッパーピン１２により規制される。
【００２５】
ところで、２番目の粒状物２６ｂを受け止めるストッパーピン１２は、宣伝広告板１０に必ず設ける必要はない。ストッパー部材としてのストッパーピン１２は、２番目の粒状物２６ｂを受け止める機能を有していれば十分であるから、例えば容器本体１の一側壁の内壁面に水平状態、やや斜め状態等に設けても良い。また、容器本体１一側壁６に宣伝広告板１０に係合関係により添設しているが、容器本体１一側壁６に宣伝広告板１０を固定的に取り付けることができれば十分であるから、例えば接着層を介して商標を付した宣伝広告板１０を貼り付けても良い。
【００２６】
さらに、ヘッド状飾りの外壁面に商標を射出形成してもいいし、ヘッド状飾りに宣伝広告機能を付与するために、例えば図１０に示すように商標を付した帽子４８を冠着させても良い。この場合には帽子４８がヘッド状飾りと別体であっても、或いは射出成形により商標機能を有する帽子を有するヘッド状飾りに形成しても良い。
【００２７】
次に図１１〜図１８は、本発明の第２実例例を示す。なお、この第２実施例に於いて、前記第１実施例と同一の部分には、同一又は同様の符号を付し、重複する説明を省略する。
【００２８】
まず第１実施例と第２実施例との主な違いは、回転体５０を収納スライダー２１Ａの下端部に軸支したことである。この回転体５０は、両側壁５０ａの中心部に小突起状の横軸５１，５１を有する。また、ストッパー用の平らな部分を有する周壁５０ｂの一部には、一番下方の錠剤を受け止めるやや幅広の凹所５２と、この凹所５２の形成位置とは反対側に形成されたやや小さい端面Ｕ字型状の係合切欠部５３とを有する。
【００２９】
次に第１実施例と第２実施例との主な違いは、容器本体１Ａの下端部の内壁面に回転体５０の係合切欠部５３と常時係合する突出固定ピン５５を形成したことである。この突出固定ピン５５は、横方向に突出して回転体５０の係合切欠部５３に係合し、収納スライダー２１Ａと一緒に昇降動する回転体５０を、所定位置にて時計方向又は反時計方向へ回転させる機能を有する。
【００３０】
しかして、この回転体５０は、収納スライダー２１Ａの下端部に、その係合切欠部５３が容器本体１Ａの前記突出固定ピンに係合するように軸支されており、収納スライダー２１Ａが押上げバネ４０のバネ力により上昇している常態時、その受け止め用凹所５２は、上方を指向している。したがって、常態時、一番下方の錠剤のみが受け止め用凹所５２に入り込んでいる。なお、本実施例では、回転体５０は、一回転しないように、その周壁５０ｂは平らな部分５０ｃを有する非円形に形成されている。
【００３１】
この第２実施例に於いて、図１８で示すように、仮想線で示す飾り４５を押込むと、回転体５０は、収納スライダー２１Ａの下降に伴い、前記突出固定ピン５５の係合状態を介して矢印で示す時計方向へと回転する。この場合に於いて、一番下方の錠剤２６ａを受け止めている前記凹所５２は、収納スライダー２１Ａの送出し口２３の方向へと所定量回転する。回転体５０は収納スライダー２１Ａが下降すると、収納スライダーの肉厚部分６１の下壁面６１ｂが容器本体１Ａの突出固定ピン５５に当接した所で、その回転を止める。回転体５０の凹所５２が収納スライダー２１Ａの送出し口２３に向いた時、一番下方の錠剤２６ａは、図示のように回転して容器本体１Ａの外へと自然落下する。一方、この時下方から２番目の錠剤２６ｂは、回転体５０の周壁５０ｂで遮られている。
【００３２】
したがって、飾り４５の押込みを止めると、収納スライダー２１Ａは押上げバネ４０のバネ力により押し上げられることから、回転体５０の作動態様は逆になり、凹所５２に周壁５０ｂで遮られていた一番下方の錠剤２６ａが入り込む（下方から２番目の錠剤２６ｂが一番下方の錠剤２６ａになる）。
ところで、この第２実施例では、容器本体１Ａの中央部の内壁面に、魚のヒレ状の垂直案内壁５６が突出形成されている。この垂直案内壁５６は、次に説明する収納スライダー２１Ａの傾斜状一通化規制壁２８Ａと相俟って回転体５０の錠剤受け止め用凹所５２に対して錠剤２６を１個ずつ案内する機能を有する。
【００３３】
次に第１実施例と第２実施例との主な違いは、収納スライダー２１Ａには、回転体５０の受け止め用凹所５２に対して錠剤２６を１個ずつ通すように規制する傾斜状一通化規制壁２８Ａが複数個形成されていることである。これらの一通化規制壁２８Ａは、収納スライダー２１Ａも底有筒状に形成されていることから、全体として錠剤に対する「すり鉢機能」を発揮する。
【００３４】
また収納スライダー２１Ａには、縦方向に容器本体１Ａの垂直案内壁５６を案内する垂直案内切欠部６０が形成され、またこの垂直案内切欠部６０に臨むようにその内壁には肉厚部分６１が突出形成されている。そして、前記肉厚部分６１の上壁面６１ａは、錠剤２６が滑動するように傾斜状に形成されている。
【００３５】
また、肉厚部分６１の下壁面６１ｂを基準にして該収納スライダー２１Ａの下部位置には、容器本体１Ａの突出固定ピン５５との関係を考慮して逃し用切欠部６２を形成している。収納スライダー２１Ａが下降してきた場合には、逃し用切欠部６２の上切欠端面が前記突出固定ピン５５に当接する。なお、収納スライダー２１Ａには回転体５０用の軸孔６３が形成されている。
【００３６】
最後に第１実施例と第２実施例との主な違いは、収納スライダーの首状突出上端部である。この収納スライダー１Ａの首状突出上端部２４Ａには、上端縁から押込み方向に、少なくとも１本以上の縦割切欠部（本実施例では４本）６５を有している。そして、首状突出上端部２４Ａには、小さなフランジ部６６が複数個（２個）形成されている。容器本体１Ａ及び収納スライダー１Ａは、合成樹脂材で形成されているので、飾り４５を首状突出上端部２４Ａに嵌着すると、首状突出上端部２４Ａのフランジ部６６が飾り４５の嵌合孔４６の内壁面に圧接する（首状突出上端部２４Ａは、材質自体の弾性力に抗して変形する弾性変形機能及び弾性変形復帰機能を有している）。
【００３７】
【発明の効果】
以上の説明から明らかなように、本発明にあっては、次に列挙するような効果がある。
（１）ヘッド状飾りをワンタッチ式で押し込むだけで、錠剤が容器の下部（例えば周壁下部）から１個ずつ確実に出る。また、ヘッド状飾りを押し込んだ後、収納スライダーはバネ力により自動的に復帰し、容器本体に係止された状態で停止する。
（２）部品点数が少ない。したがって、コストダウンを図ることができる。また、各部材を簡単に組み合わせることができる。
（３）ヘッド状飾りを有するので、容器全体をアニメ・漫画・映画等に登場するキャラクターを表現した立体意匠にすることができる。
（４）収納案内路に一通化規制壁を有する実施例の場合には、収納スライダーの投入口から送出し口へと流れ落ちる複数列の錠剤がストッパー部材の付近で一列状態になる。
（５）請求項６及び請求項７に記載の発明は、容器に簡単に広告宣伝機能を加味することができる。
【図面の簡単な説明】
図１乃至図１０は、本発明の第１実施例を示す各説明図。図１１乃至図１８は、本発明の第２実施例を示す各説明図。
【図１】分解斜視図。
【図２】組立た時の正面図。
【図３】図２を基準にした右側面図。
【図４】図２の４−４線断面図。
【図５】飾りを仮想線で示した平面図。
【図６】図３の６−６線断面図。
【図７】使用状態の説明図。
【図８】１個ずつ送出す説明図。
【図９】交換可能なヘッド状飾りの説明図。
【図１０】商標機能を有するヘッド状飾りの説明図。
【図１１】第２実施例の組立た時の正面図。
【図１２】分解斜視図。
【図１３】図１１の１３−１３線のヘッド状飾りを除いた概略断面説明図。
【図１４】容器本体と収納スライダーとの組み合わせ構造を示す概略断面説明図。
【図１５】回転体を中心とした概略説明図。
【図１６】ヘッド状飾りを除いた概略断面説明図。
【図１７】図１１の１３−１３線概略断面説明図。
【図１８】作動態様を示す概略説明図。
【符号の説明】
１，１Ａ…容器本体、２…底壁部、３…ベース板、４…前壁、５…出口、６…一側壁、８…後壁、１０…宣伝広告板、１２…ストッパー部材、１５…嵌合口、１６…係止突起、２１，２１Ａ…収納スライダー、２３…送出し口、２４，２４Ａ…突出上端部、２６…錠剤、２８，２８Ａ…一通化規制壁、２９…垂直壁、３０…送出し壁、３２…当り突起、４０…押上げバネ、４５…ヘッド状飾り、４８…帽子、５０…回転体、５０ａ…両側壁、５０ｂ…周壁、５０ｃ…平らな部分、５１…横軸、５２…凹所、５３…係合切欠部、５５…突出固定ピン、５６…垂直案内壁、６０…垂直案内部、６１…肉厚部分、６１ａ…上壁面、６１ｂ…下壁面、６２…逃し用切欠部、６５…縦割切欠部、６６…フランジ部、ＴＭ…商標。
【図１】
2004306959.tif 000003
【図２】
2004306959.tif 000004
【図３】
2004306959.tif 000005
【図４】
2004306959.tif 000006
【図５】
2004306959.tif 000007
【図６】
2004306959.tif 000008
【図７】
2004306959.tif 000009
【図８】
2004306959.tif 000010
【図９】
2004306959.tif 000011
【図１０】
2004306959.tif 000012
【図１１】
2004306959.tif 000013
【図１２】
2004306959.tif 000014
【図１３】
2004306959.tif 000015
【図１４】
2004306959.tif 000016
【図１５】
2004306959.tif 000017
【図１６】
2004306959.tif 000018
【図１７】
2004306959.tif 000019
【図１８】
2004306959.tif 000020